(57)【要約】【課題】書き込み可能な投影パネルは基板、反射層および書き込み層を含む。【解決手段】反射層が基板上に配置され、書き込み層が受光面を有する。受光面は投影光束を受けるためのものであり、受光面の粗さが５μｍから３０μｍの間にある。基板は反射層と書き込み層との間に配置され、または、反射層が基板と書き込み層との間に配置される。書き込み可能な投影パネルは優れた表示品質を有するほか、多様なペンで書き込むことができる。【選択図】図１
2019215525.tif 000002
【特許請求の範囲】
【請求項１】
書き込み可能な投影パネルであって、
基板と、
前記基板上に配置された反射層と、
投影光束を受けるための受光面を有する書き込み層とを含み、
前記受光面の粗さが５μｍから３０μｍの間にあり、
前記基板が前記反射層と前記書き込み層との間に配置され、または、前記反射層が前記基板と前記書き込み層との間に配置されることを特徴とする、書き込み可能な投影パネル。
【請求項２】
前記基板がフレキシブルな基板であることを特徴とする、請求項１に記載の書き込み可能な投影パネル。
【請求項３】
前記反射層の厚さが２０μｍ以上であることを特徴とする、請求項１に記載の書き込み可能な投影パネル。
【請求項４】
前記反射層が反射顔料層であり、前記反射顔料層中の顔料の重量パーセンテージが５０ｗｔ％以上であることを特徴とする、請求項１に記載の書き込み可能な投影パネル。
【請求項５】
前記反射層の材料が光硬化樹脂を含むことを特徴とする、請求項１に記載の書き込み可能な投影パネル。
【請求項６】
前記書き込み層の厚さが７μｍから４０μｍの間にあることを特徴とする、請求項１に記載の書き込み可能な投影パネル。
【請求項７】
前記受光面の粗さが５μｍから１５μｍの間にあることを特徴とする、請求項１に記載の書き込み可能な投影パネル。
【請求項８】
前記書き込み層が透明な書き込み層であることを特徴とする、請求項１に記載の書き込み可能な投影パネル。
【請求項９】
前記書き込み層の材料が光硬化樹脂を含むことを特徴とする、請求項１に記載の書き込み可能な投影パネル。
【請求項１０】
前記書き込み層の材料がさらに、フッ化物およびケイ化物のうちの少なくとも一つを含むことを特徴とする、請求項９に記載の書き込み可能な投影パネル。
【請求項１１】
前記書き込み層の硬度が３Ｈ／５００ｇ以上であることを特徴とする、請求項１に記載の書き込み可能な投影パネル。
【請求項１２】
タッチセンサーフィルムをさらに含み、
前記基板と前記反射層が前記タッチセンサーフィルムと前記書き込み層との間に配置され、前記タッチセンサーフィルムが静電容量式タッチセンサーフィルムまたは電磁誘導式タッチセンサーフィルムであることを特徴とする、請求項１に記載の書き込み可能な投影パネル。
【発明の詳細な説明】
【技術分野】
【０００１】
本発明は投影パネルに関し、特に書き込み可能な投影パネルに関する。
【背景技術】
【０００２】
現在、一般的な黒板製作方法と言えば、一つは、木板基材上に黒板塗料を塗布した後、乾燥炉で加熱して乾かす方法があるが、この方法の基材が硬く、巻き窄めることができないため、黒板のサイズが大きすぎる場合、持ち運びが不便である。もう一つは、コンクリート壁に２本以上の黒板塗料を塗布し、数日乾燥させたら使用できる方法があるが、この方法の利用は特定の基材に制限されるため、大量生産においてネックになる場合がある。
【０００３】
また、現在の黒板基材は木板またはコンクリート壁であり、投影パネルとした場合、底部の色が濃い緑色であるため、投影光線に対しゲイン効果を与えることができず、投影画面の視角効果と色彩飽和度を影響し、色収差を引き起こす。
【０００４】
この「背景技術」部分は、本発明の内容に対する理解を促すためにあり、「背景技術」部分で開示された内容には、当業者が既知の従来技術を構成しないものも含まれている可能性がある。そして、「背景技術」部分で開示された内容は、当該内容または本発明の一つ若しくは複数の実施例で解決しようとする課題を示すものではなく、また本発明が出願前に既に当業者に把握され、または認識されていたことを意味するものではない。
【発明の概要】
【発明が解決しようとする課題】
【０００５】
本発明は書き込み可能な投影パネルを提供し、優れた表示品質を有するほか、多様なペンによる書き込みが可能である。
【課題を解決するための手段】
【０００６】
本発明のその他の目的と利点について、本発明が開示する技術特徴から一層理解を深めることができる。
【０００７】
本発明の一実施例が提供する書き込み可能な投影パネルは、基板、反射層および書き込み層を含む。反射層は基板上に配置され、かつ書き込み層が受光面を有する。受光面は投影光束を受けて、受光面の粗さが５μｍから３０μｍの間にある。基板は反射層と書き込み層との間に配置され、または、反射層が基板と書き込み層との間に配置される。
【０００８】
本発明の実施例の書き込み可能な投影パネルにおいて、反射層を用いて投影光束を反射するため、比較的に良い反射効果が得られ、さらに表示品質を高めることができる。また、書き込み層の受光面の粗さが５μｍから３０μｍの間にあるため、異なる多種類のペン、例えば、チョーク（ｃｈａｌｋ）、水彩ペン、ホワイトボードマーカー（ｗｈｉｔｅ  
ｂｏａｒｄ  ｍａｒｋｅｒ）、クレヨン（ｃｒａｙｏｎ）なで書き込むことができて、従来のホワイトボードおよび黒板を代替するほか、投影画面を表示する時に防眩効果がある。
【０００９】
本発明の上記およびその他の目的、特徴と利点をより明確に、かつわかり易く示すために、以下は実施例を挙げて、かつ図面を参照しながら詳しく説明する。
【図面の簡単な説明】
【００１０】
【図１】本発明の一実施例の書き込み可能な投影パネルが投影光束を受ける場合の概略図である。
【図２】本発明の別の実施例の書き込み可能な投影パネルの概略図である。
【図３】本発明の別の実施例の書き込み可能な投影パネルの概略図である。
【図４】本発明の別の実施例の書き込み可能な投影パネルの概略図である。
【発明を実施するための形態】
【００１１】
本発明の前記およびその他の技術内容、特徴および効果は、以下の図面を参照しながら行う好ましい実施例の詳細な説明において明確に示されている。以下の実施例において言及される方向用語、例えば、上、下、左、右、前または後などは図面を参照する方向のみである。従って、これらの方向用語は説明を目的とし、本発明を制限するものではない。
【００１２】
図１は本発明の一実施例の書き込み可能な投影パネルが投影光束を受ける場合の概略図である。図１を参照すると、本実施例の書き込み可能な投影パネル１００は、基板１１０、反射層１２０および書き込み層１３０を含む。反射層１２０は基板１１０上に配置され、本実施例において、反射層１２０が例えば基板１１０と書き込み層１３０との間に配置される。書き込み層１３０は受光面１３１を有し、受光面１３１が投影机２００により投射された投影光束２０１を受ける。
【００１３】
本実施例において、投影光束２０１が受光面１３１を透過し、かつ反射層１２０に反射されることで、ユーザＵに投影画面を見せることができる。反射層１２０は例えば反射顔料層であり、反射顔料層中の顔料の重量パーセンテージが例えば５０ｗｔ％より大きいかまたは等しく、反射層１２０の厚さＤ１が例えば２０μｍより大きいかまたは等しいが、これに限定されない。反射層１２０の厚さＤ１は、顔料の重量パーセンテージに従って調整することができる。顔料は、可視光において赤色、緑色、青色、白色などの顔料の中から少なくとも一種を選択することができるが、これらの色に限定されない。一実施例において、選択された顔料の色が薄色系の顔料、例えば、可視光において薄赤色、薄緑色、薄青色の顔料であってもよい。本実施例において、顔料の色および厚さＤ１の組み合わせにより、書き込み可能な投影パネル１００が投影画面を表示する時により良い色彩飽和度を有し、かつ色収差でユーザＵの視角的体感が影響されることを防止できるため、書き込み投影パネル１００が優れた表示効果を有する。また、表示効果を高めるよう、反射層１２０の書き込み層１３０に面した表面１２１は例えば平面である。本実施例において、反射層１２０の表面１２１は書き込み層１３０の受光面１３１と基板１１０との間に位置する。また、反射層１２０の材料が光硬化材料（例えば、光硬化樹脂）を含んでもよいが、これに限定されない。本実施例において、製作時に、まず化学コロイド料（例えば光硬化樹脂、即ち、反射層１２０を形成する材料）を基板１１０に塗布してから、光硬化工程を行い、上記反射層１２０を形成してもよいが、これに限定されない。
【００１４】
本実施例において、書き込み層１３０の厚さが例えば４０μｍより小さいかまたは等しい。一実施例において、書き込み層１３０の厚さが例えば７μｍから４０μｍの間にある。書き込み層１３０は例えば透明な書き込み層であるが、必要に応じて書き込み層１３０に顔料を添加してもよい。書き込み層１３０の受光面１３１が模様を施してもよい、模様を施した受光面１３１が粗い表面である。書き込み層１３０の受光面１３１の粗さが５μｍから３０μｍの間にあり、ユーザＵがチョーク、水彩ペン、クレヨンなど異なる多種類のペンを用いて書き込み層１３０に簡単に書き込み、または拭き取ることができる。粗さが５μｍよりも低い場合、書き込み難い問題が生じ、粗さが３０μｍよりも高い場合、拭き取り難い問題が生じ有る。書き込み層１３０にチョーク、ホワイトボードマーカーで書き込むことができるため、本実施例の書き込み可能な投影パネル１００は同時に黒板およびホワイトボードとして用いられることができる。上記チョークは従来のチョーク（主な成分は硫酸カルシウムを含む）、エコチョーク（主ない成分は炭酸カルシウムを含む）、水拭き式チョークなど各種のチョークを含む。一実施例において、ホワイトボードマーカーを使用して書き込みおよび拭き取りし易いように、受光面１３１の粗さが５μｍから１５μｍの間にあってもよい。また、受光面１３１が上記の粗さを有するため、投影光束２０１を受けた時に、抗グレア効果が得られ、ユーザＵが見た時に目が刺激されることを回避できる。本実施例において、受光面１３１の粗さと抗グレアレベルが例えば略正相関関係にある。
【００１５】
書き込み層１３０により良い耐久性をもたらすために、書き込み層１３０の硬度が例えば３Ｈ／５００ｇより大きいかまたは等しく、さらに、３Ｈ／７６５ｇより大きいかまたは等しい。ここで、硬度とは、鉛筆式硬度計で測定したものであり、３Ｈは鉛筆の硬度が３Ｈであることを意味し、５００ｇは鉛筆の荷重が５００ｇであることを意味する。書き込み層１３０の硬度が３Ｈ／５００ｇであることは、硬度が３Ｈのペンを用いて荷重５００ｇの条件で書き込み層１３０に書き込んだ時に、書き込み層１３０が破損しないことを意味する。書き込み層１３０の材料として硬質樹脂、例えばアクリル（Ａｃｒｙｌｉｃ）を選択することができるが、これに限定されない。また、書き込み層１３０の材料は、例えば光硬化材料（例えば、光硬化樹脂）を含むが、これに限定されない。本実施例において、製作時に、まず化学コロイド料（例えば光硬化樹脂、即ち、書き込み層１３０を形成する材料）を基板１１０に塗布してから、光硬化プロセスを行い、上記の書き込み層１３０を形成してもよい。また、書き込み層１３０上に指紋が残らないよう、書き込み層１３０の材料はさらに指紋防止材料、例えばフッ化物およびケイ化物のうちの少なくとも一つを含んでもよい。
【００１６】
上記基板１１０はフレキシブルな基板または硬性基板とすることが可能であり、かつ、フレキシブルな基板は巻き窄めることができるため、書き込み可能な投影パネル１００を運搬し易くすることができる。また、基板１１０がフレキシブルな基板である実施例において、ロールツーロール（ｒｏｌｌ  ｔｏ  ｒｏｌｌ）の方式で基板１１０上に反射層１２０および書き込み層１３０を形成し、かつ反射層１２０および書き込み層１３０を形成する材料が光硬化材料であってもよいが、これに限定されない。このように、本実施例は、高速生産できる利点、大量生産および必要なサイズに応じて任意に切断できるなどの利点がある。一実施例において、基板１１０が透光基板または不透光基板であってもよく、かつ、本実施例は不透光基板の色について制限しない。
【００１７】
図１において、反射層１２０が基板１１０と書き込み層１３０との間に配置されているが、別の実施例において、例えば図２の書き込み可能な投影パネル１００ａで示されたように、基板１１０が反射層１２０と書き込み層１３０との間に配置されてもよい。図２において、基板１１０は例えば透光基板であり、投影光束を透過させる。
【００１８】
図３は本発明の別の実施例の書き込み可能な投影パネルの概略図である。図３を参照すると、本実施例的書き込み可能な投影パネル１００ｂと図１の書き込み可能な投影パネル１００が類似するが、主な相違点は、本実施例の書き込み可能な投影パネル１００ｂはさらにタッチセンサーフィルム（ｓｅｎｓｏｒ  ｆｉｌｍ）１４０を含み、かつ、基板１１０と反射層１２０がタッチセンサーフィルム１４０と書き込み層１３０との間に配置される。このタッチセンサーフィルム１４０は、例えば、基板１１０、反射層１２０および書き込み層１３０によって構成される積層構造１０２を完成した後、積層構造１０２の書き込み層１３０から離れた側に貼り付けてもよい。タッチセンサーフィルム１４０は静電容量式タッチセンサーフィルムまたは電磁式タッチセンサーフィルムであってもよい。静電容量式タッチセンサーフィルムは、例えば指、導電ペンによる書き込みおよび操作を検出することが可能であり、電磁式タッチセンサーフィルムは、例えば電磁ペン（ｅｌｅｃｔｒｏｍａｇｎｅｔｉｃ  ｓｔｙｌｕｓ）による書き込みおよび操作を検出することができる。本実施例において、タッチセンサーフィルム１４０は、例えば、処理チップ（図示せず）を有し、処理チップがコンピュータに電気的に接続されて、検出したタッチ信号をコンピュータに伝送するが、これに限定されない。このように、本実施例の書き込み可能な投影パネル１００ｂは、ユーザの書き込みに使用されるほか、タッチ操作が可能な投影パネルとして用いることもできる。
【００１９】
上記タッチセンサーフィルム１４０は、上記書き込み可能な投影パネル１００ａ中に応用することもできる。図４が示すように、書き込み可能な投影パネル１００ｃのタッチセンサーフィルム１４０は、例えば、基板１１０、反射層１２０および書き込み層１３０によって構成される積層構造１０２ａが完成された後、積層構造１０２ａの書き込み層１３０から離れた側に貼り付けてもよい。
【００２０】
以上をまとめると、本発明の実施例の書き込み可能な投影パネルにおいて、反射層を用いて投影光束を反射するため、比較的によい反射効果が得られ、さらに表示品質を高めることができる。また、書き込み層の受光面の粗さが５μｍから３０μｍの間にあるため、異なる多種類のペン、例えばチョーク、水彩ペン、ホワイトボードマーカー、クレヨンなどで書き込むことが可能であり、従来のホワイトボードおよび黒板を代替するほか、投影画面を表示する時に、抗グレアの効果が得られる。
【００２１】
以上に記載したのは本発明の好ましい実施例であり、本発明の実施範囲がこれに限定されるべきではない。即ち、本発明の請求の範囲および発明の詳細な説明を基に行った簡単な等価変更および修正も本発明の請求範囲内に属する。また、本発明の実施例または請求項のいずれかが必ずしも本発明の開示した目的または利点または特徴を全て満たすとは限らない。その他、要約書と発明の名称は特許文献の検索のために用いられるものであり、本発明の権利範囲を制限するものではない。
【図１】
2019215525.tif 000003
【図２】
2019215525.tif 000004
【図３】
2019215525.tif 000005
【図４】
2019215525.tif 000006